(57)【要約】  本発明は、アクセス制御方法およびユーザ機器を提供する。ユーザ機器におけるアクセス制御方法は、ユーザ機器の状態に従って、対応するアクセス制御パラメータを決定してアクセス制御を実行することと、前記アクセス制御の結果がアクセス禁止である場合、異なるユーザ機器状態に対応する異なるアクセス禁止タイマーを開始するか、あるいは異なるユーザ機器状態で同じアクセス禁止タイマーを開始することと、前記対応するアクセス制御パラメータに従って、開始されたアクセス禁止タイマーの持続時間を決定することとを含む。【選択図】図１
2021520125.tif 000002
【特許請求の範囲】
【請求項１】
１つのアクセスカテゴリに対してアクセス制御チェックを実行することと、
チェックの結果がアクセス禁止であるときに、アクセス制御タイマーを開始することと、
ＵＥがＲＲＣ再設定メッセージを受信したときに、稼働中の前記アクセス制御タイマーを停止することと、
ＵＥがＲＲＣ解放メッセージを受信したときに、稼働中の前記アクセス制御タイマーを停止することとを含む、ユーザ機器におけるアクセス制御方法。
【請求項２】
ＵＥがＲＲＣ再接続手順を初期化するときに、稼働中の前記アクセス制御タイマーを停止することを更に含む、請求項１に記載のアクセス制御方法。
【請求項３】
前記ＲＲＣ再設定メッセージには、１つのセルに同期するための情報が含まれる、請求項１に記載のアクセス制御方法。
【請求項４】
アクセス制御タイマーの稼働が停止したときに、前記アクセスカテゴリに対するアクセス禁止が解除されることを上位層に通知することを更に含む、請求項１〜３のいずれか一項に記載のアクセス制御方法。
【請求項５】
ユーザ機器であって、
プロセッサを備え、
当該プロセッサは、１つのアクセスカテゴリに対してアクセス制御チェックを実行し、前記プロセッサは、チェックの結果がアクセス禁止であるときに、アクセス制御タイマーを開始し、且つＵＥがＲＲＣ再設定メッセージを受信したときに、稼働中の前記アクセス制御タイマーを停止し、ＵＥがＲＲＣ解放メッセージを受信したときに、稼働中の前記アクセス制御タイマーを停止する、ユーザ機器。
【請求項６】
前記プロセッサは、ＵＥがＲＲＣ再接続手順を初期化するときに、稼働中の前記アクセス制御タイマーを停止する、請求項５に記載のユーザ機器。
【請求項７】
前記ＲＲＣ再設定メッセージには、１つのセルに同期するための情報が含まれる、請求項５に記載のユーザ機器。
【請求項８】
前記プロセッサは、アクセス制御タイマーの稼働が停止したときに、前記アクセスカテゴリに対するアクセス禁止が解除されることを上位層に通知する、請求項５〜７のいずれか一項に記載のユーザ機器。
【発明の詳細な説明】
【技術分野】
【０００１】
本発明は無線通信の技術分野に関し、より具体的には、本発明はアクセス制御の方法並びに対応する基地局およびユーザ機器に関する。
【背景技術】
【０００２】
移動通信の急速な発展と技術の驚異的な進歩に伴い、世界は完全に相互接続されたネットワーク社会に移行し、即ち、誰でも、どのようなアイテムであっても任意の時間と任意の場所で情報を取得してデータを共有することができる。２０２０年までに相互接続機器の台数は５００億台に達する見込みで、そのうち携帯電話やタブレットは１００億台程度しかなく、その他は、人と対話するマシンではなく、互いに対話するマシンである。そのため、ＩｏＥ（Ｉｎｔｅｒｎｅｔ ｏｆ ｅｖｅｒｙｔｈｉｎｇ）をよりよくサポートするためにどのようにシステムを設計するかは、鋭意研究を重ねる必要がある課題である。
【０００３】
このために、２０１６年３月に開催された第３世代パートナーシッププロジェクト（３ＧＰＰ）ＲＡＮ＃６４回の会議において、新しい５Ｇ無線アクセス技術の研究課題が提案された（非特許文献参照：ＲＰ−１６０６７１  Ｎｅｗ  ＳＩＤ  Ｐｒｏｐｏｓａｌ：Ｓｔｕｄｙ  ｏｎ  Ｎｅｗ  Ｒａｄｉｏ  Ａｃｃｅｓｓ  Ｔｅｃｈｎｏｌｏｇｙ）。この作業プロジェクトでは、将来の新しい通信規格の動作周波数帯域を１００ＧＨｚに拡張すると同時に、少なくとも拡張された移動広帯域通信サービスのニーズ、大規模ＩｏＴ（Ｉｎｔｅｒｎｅｔ ｏｆ Ｔｈｉｎｇｓ）端末の通信ニーズ、および高い信頼性が求められる通信サービスニーズなどを満たすことが説明されており、このプロジェクトの研究は２０１８年に完了する予定である。
【０００４】
アクセス制御をよりよく実行するために、新世代無線技術ＮＲシステムでは、接続状態にあるユーザ機器ＵＥのアクセス制御を実施する必要があるが、現在すでに知られているものはアイドル状態（ｉｄｌｅ状態）にあるＵＥに対してのアクセス制御方法であるが、接続状態に対するＵＥのアクセス制御の実現方法はまだ打ち出されていない。したがって、接続状態にあるＵＥのアクセス制御をどのように実現するかというのは、解決すべき問題である。例えば、従来のメカニズムでは、アイドル状態にあるＵＥについて、新しいトラフィックがＵＥの非アクセス層に到着すると、ＵＥのアクセス層にこのトラフィックに対応するアクセスカテゴリ（ａｃｃｅｓｓ ｃａｔｅｇｏｒｙ）とＵＥのアクセスアイデンティティ（ａｃｃｅｓｓ ｉｄｅｎｔｉｔｙ）を提供し、アクセス層によりアクセス制御される。具体的には、ＵＥは、アクセスカテゴリおよびネットワークで設定されたアクセス制御パラメータに基づいて処理を実行することにより、アクセス制御の結果を取得するが、制御の結果がアクセス禁止であれば、アクセス禁止タイマーを開始し、タイマーがタイムアウトすると、対応する禁止の解除を非アクセス層に通知する。
【０００５】
また、ＵＥが接続状態でアクセス禁止タイマーを開始した場合、接続状態で開始されたアクセス禁止タイマーをどのように管理するかというのは、解決すべき問題である。例えば、従来のメカニズムでは、アイドル状態にあるユーザは、アクセス禁止タイマーの単位時間が秒であってもよいが、接続状態にあるユーザについては、秒単位で使用し続けると、ユーザの待機時間が長すぎてユーザ体験に影響を与える可能性がある。
【０００６】
接続状態にあるＵＥについては、ＲＬＦが発生しさらにＲＲＣ再接続手順がトリガーされた場合、稼働中のアクセス禁止タイマーには何らかの処理が必要となる。
【０００７】
また、ＲＲＣ接続解放メッセージを受信した際、接続を解放するまでに一定時間かかるが、その際に稼働中のアクセス禁止タイマーにつきどのように処理すべきか、ということも解決すべき問題である。
【０００８】
また、ネットワーク側は、必要に応じてアクセス禁止タイマーをトリガーすることで、トラフィック量を合理的に設定することはできるが、ネットワーク側でアクセス禁止タイマーをどのように統合的に管理するか、ということも解決すべき問題である。
【発明の概要】
【０００９】
本発明の１つの目的は、ユーザ機器の状態に従ってアクセス制御を適切に実行できる方法およびユーザ機器を提供することにある。
【００１０】
本発明の別の目的は、接続状態にあるユーザ機器ＵＥのアクセス制御を実現できる方法およびユーザ機器を提供することにある。
【００１１】
本発明の別の目的は、ユーザ機器ＵＥのアクセス制御方法およびユーザ機器において、アクセス禁止タイマーを柔軟に管理することにより、トラフィック処理効率を向上させ、ユーザ体験を改善することにある。
【００１２】
本発明のさらに別の目的は、アクセス禁止タイマーをネットワーク側で統合的に管理できるユーザ機器ＵＥのアクセス制御方法およびユーザ機器を提供することにある。
【００１３】
本発明の第１の態様によれば、ユーザ機器におけるアクセス制御方法が提供され、前記アクセス制御方法は、ユーザ機器の状態に従って、対応するアクセス制御パラメータを決定してアクセス制御を実行することと、前記アクセス制御の結果がアクセス禁止である場合、異なるユーザ機器状態に対応する異なるアクセス禁止タイマーを開始するか、あるいは異なるユーザ機器状態で同じアクセス禁止タイマーを開始することと、前記対応するアクセス制御パラメータに従って、開始されたアクセス禁止タイマーの持続時間を決定することとを含む。
【００１４】
上記アクセス制御方法において、前記ユーザ機器の状態は、接続状態、アイドル状態、および非アクティブ状態を含み、接続状態で開始されるアクセス禁止タイマーの持続時間は、アイドル状態または非アクティブ状態で開始されるアクセス禁止タイマーの持続時間よりも短くてもよい。
【００１５】
上記アクセス制御方法において、ユーザ機器の状態に従って、対応するアクセス制御パラメータを決定してアクセス制御を実行することは、ネットワーク側からの指示情報を受信することと、前記指示情報に接続状態のアクセス制御の実行を示す指示が含まれる場合、接続状態のためのアクセス制御パラメータに基づいてアクセス制御を実行することを更に含んでもよい。
【００１６】
上記アクセス制御方法において、下記の少なくとも１つの状況であれば稼働中のアクセス禁止タイマーを停止してもよい。ａ）無線リンク失敗が発生したと決定された場合、ｂ）ＲＲＣ再接続の初期化が実行された場合、ｃ）ＲＲＣ接続再設定メッセージを受信し、且つそのメッセージに、少なくともユーザ機器を新しいターゲットセルに同期するように指示するための情報が含まれている場合、ｄ）ＲＲＣ接続解放メッセージが受信された場合。
【００１７】
上記アクセス制御方法において、ＲＲＣ接続解放メッセージを受信して稼働中のアクセス禁止タイマーを停止した場合、予め設定された持続時間の後に接続解放の関連操作を実行してもよい。
【００１８】
上記アクセス制御方法において、稼働中のアクセス禁止タイマーを停止した後に、ネットワーク側にそのアクセス禁止タイマーに対応するアクセスカテゴリの禁止の解放を通知してもよい。
【００１９】
本発明の第２の態様によれば、ユーザ機器におけるアクセス制御方法が提供され、前記アクセス制御方法は、ネットワーク側からの指示情報を受信することと、前記指示情報にアクセス禁止タイマーの開始を示す指示が含まれる場合、アクセス禁止タイマーを開始することと、前記指示情報にアクセス禁止タイマーの停止を示す指示が含まれる場合、稼働中のアクセス禁止タイマーを停止することとを含む。
【００２０】
上記アクセス制御方法において、前記アクセス禁止タイマーは、１つまたは複数のアクセスカテゴリに対応する１つまたは複数のアクセス禁止タイマー、あるいは汎用のアクセス禁止タイマーであってもよい。
【００２１】
上記アクセス制御方法において、前記指示情報にアクセス禁止タイマーの開始を示す指示が含まれる場合、アクセス禁止タイマーを即時に開始するか、あるいは、予定時刻でアクセス禁止タイマーを開始してもよく、前記指示情報にアクセス禁止タイマーの停止を示す指示が含まれる場合、稼働中のアクセス禁止タイマーを即時に停止するか、あるいは予定時刻で稼働中のアクセス禁止タイマーを停止してもよい。
【００２２】
本発明の第３の態様によれば、プロセッサと指令が記憶されたメモリとを含むユーザ機器が提供され、前記指令が前記プロセッサにより実行されるときに上記アクセス制御方法を実行する。
【発明の効果】
【００２３】
本発明のアクセス制御方法およびユーザ機器によれば、ユーザ機器の状態に従ってアクセス制御を適切に実行できる。
【００２４】
また、本発明のアクセス制御方法およびユーザ機器によれば、接続状態にあるユーザ機器ＵＥのアクセス制御を実現できる。
【００２５】
また、本発明のアクセス制御方法およびユーザ機器によれば、ユーザ機器ＵＥのアクセス制御方法およびユーザ機器において、アクセス禁止タイマーを柔軟に管理することにより、トラフィック処理効率を向上させ、ユーザ体験を改善することができる。
【００２６】
また、本発明のアクセス制御方法およびユーザ機器によれば、アクセス禁止タイマーをネットワーク側で統合的に管理することにより、トラフィック量を合理的に設定することができる。
【図面の簡単な説明】
【００２７】
以下、図面を参照しながら詳細に説明することで、本発明の上記およびその他の特徴がより明確になる。
【図１】本発明の実施例によるユーザ機器におけるアクセス制御方法のフローチャートを示す。
【図２】本発明の実施例によるユーザ機器における別のアクセス制御方法のフローチャートを示す。
【図３】本発明の実施例によるユーザ機器のブロック図を示す。
【発明を実施するための形態】
【００２８】
以下、図面および具体的な実施形態を合わせて、本発明を詳細に説明する。本発明は、以下に説明する具体的な実施形態に限定されるものではない。また、便宜上、本発明と直接関係がない周知の技術の詳細な説明は、本発明の理解に対する混乱を防ぐために省略する。
【００２９】
詳細な説明の前に、本発明で言及されるいくつかの用語を以下のように説明する。特に明記しない限り、本発明に係る用語は以下の意味を有する。
ＵＥ  Ｕｓｅｒ  Ｅｑｕｉｐｍｅｎｔ  ユーザ機器
ＲＬＦ  Ｒａｄｉｏ  Ｌｉｎｋ  Ｆａｉｌｕｒｅ  無線リンク失敗
ＮＲ  Ｎｅｗ  Ｒａｄｉｏ  新世代無線技術
ｅＬＴＥ  Ｅｎｈａｃｅｄ  Ｌｏｎｇ  Ｔｅｒｍ  Ｅｖｏｌｕｔｉｏｎ  拡張された長期的進化技術
ＰＤＵ  Ｐｒｏｔｏｃｏｌ  Ｄａｔａ  Ｕｎｉｔ  プロトコルデータユニット
ＮＡＳ  Ｎｏｎ−ａｃｃｅｓｓ  ｓｔｒａｔｕｍ  非アクセス層
ＡＳ  ａｃｃｅｓｓ  ｓｔｒａｔｕｍ  アクセス層
【００３０】
以下、ＮＲ移動通信システムおよびその後続の進化バージョンを例示的なアプリケーション環境として、ＮＲをサポートする基地局およびＵＥ機器を例に、本発明による複数の実施形態を詳細に説明する。しかしながら、なお、本発明は、以下の実施形態に限定されず、ｅＬＴＥ通信システムなどの他のより多くの無線通信システムに適用してもよく、且つｅＬＴＥをサポートする基地局およびＵＥ機器などの他の基地局およびＵＥ機器に適用してもよい。
【００３１】
アクセス制御のために、ＵＥの上位層（ここでは非アクセス層（ＮＡＳ）であってもよい）から下位層（ここではアクセス層（ＡＳ）であってもよい）にアクセスアイデンティティ（ａｃｃｅｓｓ ｉｄｅｎｔｉｔｙ）およびアクセスカテゴリ（ａｃｃｅｓｓ ｃａｔｅｇｏｒｙ）などの情報が提供される。
【００３２】
ＵＥのＡＳは、アクセスアイデンティティおよびアクセスカテゴリなどの情報に基づいてアクセス禁止制御（ａｃｃｅｓｓ ｂａｒｒｉｎｇ ｃｈｅｃｋ）を実行する。
【００３３】
アクセス禁止制御の結果は２種類があり、１つは禁止（ｂａｒｒｉｎｇ）であり、もう１つは許可（ｎｏｔ ｂａｒｒｉｎｇ/ａｌｌｏｗｅｄ）である。
【００３４】
禁止とは、ＵＥが現在のセルのアクセスが禁止されている／許可されていない（ｃｏｎｓｉｄｅｒ ａｃｃｅｓｓ ｔｏ ｔｈｅ ｃｅｌｌ ａｓ ｂａｒｒｅｄ）と見なすことができること、また、ＵＥが現在のセルでの新しいＰＤＵセッション（ｓｅｓｓｉｏｎ）の確立が許可されていない／禁止されていると見なしていることを意味する。
【００３５】
許可とは、ＵＥが現在のセルのアクセスが許可されている（ｃｏｎｓｉｄｅｒ ａｃｃｅｓｓ ｔｏ ｔｈｅ ｃｅｌｌ ａｓ ｎｏｔ ｂａｒｒｅｄ）と見なしていること、また、ＵＥが現在のセルでの新しいＰＤＵセッション（ｓｅｓｓｉｏｎ）の確立が許可されていると見なしていることを意味する。
【００３６】
アクセス禁止制御の結果が禁止であるときに、ＵＥはアクセス禁止タイマーを開始し、且つ上位層に禁止に関する情報を通知してもよく、その情報は、アクセス禁止または失敗、または、ＰＤＵセッション（ｓｅｓｓｉｏｎ）の確立の禁止または失敗を示す情報であってもよく、好ましくは、その禁止または失敗とは、ＮＡＳが提供するアクセスカテゴリ（ａｃｃｅｓｓ ｃａｔｅｇｏｒｙ）の禁止または失敗であり、アクセス禁止タイマーがタイムアウトしたときに、ＵＥは上位層にそのアクセスカテゴリ（ａｃｃｅｓｓ ｃａｔｅｇｏｒｙ）の禁止の解除（ｂａｒｒｉｎｇ ａｌｌｅｖｉａｔｉｏｎ）を通知する。
【００３７】
アクセス禁止制御の結果が許可であるときに、ＵＥは対応するフロー、例えば、新しいＰＤＵセッションの確立を実行し続けてもよい。
【００３８】
図１は、本発明の実施例によるユーザ機器ＵＥにおけるアクセス制御方法１００のフローチャートを示し、この方法において、ユーザ機器ＵＥはアクセス制御の実行結果に基づいてアクセス禁止タイマーを開始する。
【００３９】
具体的には、図１に示すように、方法１００は、ステップＳ１１０、ステップＳ１２０およびステップＳ１３０を含む。
【００４０】
ステップＳ１１０において、ユーザ機器の状態に従って、対応するアクセス制御パラメータを決定してアクセス制御を実行する。
【００４１】
ステップＳ１２０において、アクセス制御の結果がアクセス禁止である場合、異なるユーザ機器状態に対応する異なるアクセス禁止タイマーを開始するか、あるいは異なるユーザ機器状態で同じアクセス禁止タイマーを開始する。
【００４２】
ステップＳ１３０において、対応するアクセス制御パラメータに従って、開始されたアクセス禁止タイマーの持続時間を決定する。
【００４３】
上記方法１００によれば、従来のアイドル状態にあるユーザ機器に限定されず、ユーザ機器があり得る様々な状態を考慮し、ユーザ機器の状態に従って対応するアクセス制御パラメータを決定することにより、決定されたアクセス制御パラメータに従ってアクセス制御を実行することから、ユーザ機器の状態に従ってアクセス制御を適当に実行できる。
【００４４】
さらに、上記方法１００によれば、アクセス制御の結果がアクセス禁止である場合、異なるユーザ機器状態に対応する異なるアクセス禁止タイマーを開始してもよく、あるいは、異なるユーザ機器状態で同じアクセス禁止タイマーを開始し、且つ対応するアクセス制御パラメータに従って、開始されたアクセス禁止タイマーの持続時間を決定してもよいことから、アクセス禁止タイマーを柔軟に管理することにより、トラフィック処理効率を向上させ、ユーザ体験を改善することができる。
【００４５】
図２は、本発明の実施例によるユーザ機器ＵＥにおけるアクセス制御方法２００のフローチャートを示し、この方法において、指示メッセージによってアクセス禁止タイマーの開始または停止をネットワーク側で指示する。
【００４６】
具体的には、図２に示すように、方法２００は、ステップＳ２１０、ステップＳ２２０およびステップＳ２３０を含む。
【００４７】
ステップＳ２１０において、ネットワーク側からの指示情報を受信する。
【００４８】
ステップＳ２２０において、指示情報にアクセス禁止タイマーの開始を示す指示が含まれる場合、アクセス禁止タイマーを開始する。
【００４９】
ステップＳ２３０において、指示情報にアクセス禁止タイマーの停止を示す指示が含まれる場合、稼働中のアクセス禁止タイマーを停止する。
【００５０】
上記方法２００によれば、ユーザ機器はネットワーク側からの指示情報を受信し、且つ指示情報に含まれるアクセス禁止タイマーの開始または停止の指示に従って、アクセス禁止タイマーを開始または停止するため、アクセス禁止タイマーをネットワーク側で統合的に管理することにより、トラフィック量を合理的に設定することができる。
【００５１】
以下、本発明のいくつかの実施例を詳細に説明する。
【００５２】
実施例１
ＵＥは、上位層によるアクセスカテゴリ（ａｃｃｅｓｓ ｃａｔｅｇｏｒｙ）の指示を受信してアクセス制御を実行するときに、ＵＥの状態に基づいて対応するアクセス制御パラメータあるいは相応するアクセス制御パラメータを決定してアクセス制御を実行してもよい。例えば、
ＵＥが接続状態にあるか、あるいは接続状態で新しいＰＤＵセッションを確立するときに、接続状態のためのアクセス制御パラメータに基づいてアクセス制御を実行し、
ＵＥがアイドル状態にあるか、あるいはＵＥがアイドル状態で接続の確立を要求するとき、あるいはアイドル状態から接続状態に切換わるときに、アイドル状態のためのアクセス制御パラメータに基づいてアクセス制御を実行し、
ＵＥが非アクティブ状態にあるか、あるいはＵＥが非アクティブ状態から接続状態に切換わるとき、あるいはＵＥが非アクティブ状態で接続の確立を要求するとき、非アクティブ状態のためのアクセス制御パラメータに基づいてアクセス制御を実行する。
【００５３】
好ましくは、ＵＥが非アクティブ状態にあるか、あるいはＵＥが非アクティブ状態から接続状態に切換わるとき、あるいはＵＥが非アクティブ状態で接続の確立を要求するときに、アイドル状態でのアクセス制御パラメータに基づいてアクセス制御を実行してもよい。
【００５４】
アクセス制御パラメータは、アクセス制御エレメントまたはアクセス禁止タイマーの平均持続時間などを含んでもよい。ネットワークは、異なるＵＥ状態のために、値が異なるアクセス制御パラメータ（パラメータが同じで、値が異なる）、または異なるアクセス制御パラメータ（パラメータが異なり、値が同じ又は異なってもよい）を設定してもよい。アクセス制御の具体的な操作は、例えば、乱数を決定し、乱数とアクセス制御エレメントの大きさを比較し、乱数がアクセス制御エレメントよりも小さいときに、アクセス制御の結果は許可であると決定し、そうでなければ、アクセス結果は禁止であると決定し、アクセス禁止タイマーの平均値に基づいて、アクセス禁止タイマーの持続時間を決定してアクセス禁止タイマーを開始することなどを含んでもよい。
【００５５】
ＵＥがアクセス制御を実行するときに、接続状態、アイドル状態または非アクティブ状態にある可能性があり、アイドル状態から接続状態に切換わる状態、非アクティブ状態から接続状態に切換わる状態であってもよく、あるいは、接続状態で新しいＰＤＵセッションを確立する状態、アイドル状態で接続の確立を要求する状態、および、非アクティブ状態で接続の確立を要求する状態であってもよい。
【００５６】
１つのアクセスカテゴリ（ａｃｃｅｓｓ ｃａｔｅｇｏｒｙ）に対して、アクセス制御の結果が禁止であれば、ＵＥがアクセス制御を実行する状態に従って、異なるタイマーを開始してもよい。例えば、ＵＥのあるアクセスに対するアクセス制御の結果が禁止である場合、
ＵＥが接続状態にあるか、あるいは接続状態で新しいＰＤＵセッションを確立するときに、Ｔ１（第１のタイマー）を開始し、
ＵＥがアイドル状態にあるか、あるいはＵＥがアイドル状態で接続の確立を要求するとき、あるいはアイドル状態から接続状態に切換わるときに、Ｔ２（第２のタイマー）を開始し、
ＵＥが非アクティブ状態にあるか、あるいはＵＥが非アクティブ状態から接続状態に切換わるとき、あるいはＵＥが非アクティブ状態で接続の確立を要求するときに、Ｔ３（第３のタイマー）を開始する。
【００５７】
好ましくは、Ｔ２およびＴ３は同じタイマーであってもよく、即ち、ＵＥのアイドル状態と非アクティブ状態での処理は同じであると見なしてもよい。
【００５８】
好ましくは、Ｔ１の持続時間はＴ２およびＴ３の持続時間よりも短い。
【００５９】
上述したＵＥがアクセス制御を実行する状態に従って異なるタイマーを開始できるもう１つの実現方法は、
ＵＥが接続状態のためのアクセス制御パラメータに基づいてアクセス制御を実行するときに、Ｔ１を開始し、
ＵＥがアイドル状態のためのアクセス制御パラメータに基づいてアクセス制御を実行するときに、Ｔ２を開始し、
ＵＥが非アクティブ状態のためのアクセス制御パラメータに基づいてアクセス制御を実行するときに、Ｔ３を開始することであってもよい。
【００６０】
アクセス禁止タイマーが開始されるときにタイマーの持続時間を設定する必要もある。アクセス禁止タイマーの持続時間はアクセス制御パラメータの１つであってもよいため、決定されたアクセス制御パラメータに従ってタイマーの持続時間を決定してもよい。
【００６１】
例えば、ＵＥのあるアクセスに対するアクセス制御の結果が禁止であれば、アクセス禁止タイマーＴ４を開始し、
ＵＥが接続状態にあれば、接続状態でのアクセス制御パラメータに基づいてＴ４の持続時間を設定し、
ＵＥがアイドル状態にあれば、アイドル状態でのアクセス制御パラメータに基づいてＴ４の持続時間を設定し、
ＵＥが非アクティブ状態にあれば、非アクティブ状態でのアクセス制御パラメータに基づいてＴ４の持続時間を設定し、
好ましくは、ＵＥが非アクティブ状態にあるときに、アイドル状態でのアクセス制御パラメータに基づいてＴ４の持続時間を設定してもよい。
【００６２】
好ましくは、ＵＥの接続状態で設定されたＴ４の持続時間は、ＵＥのアイドル状態または非アクティブ状態で設定されたＴ４の持続時間よりも短い。例えば、ＵＥのアイドル状態または非アクティブ状態で設定されたＴ４の持続時間が秒単位である場合、ＵＥの接続状態で設定されたＴ４の持続時間は、ミリ秒単位またはタイムスロット単位またはサブフレーム単位であってもよい。
【００６３】
アクセス制御パラメータはＵＥの状態に基づいて決定されるため、上記手順は、ＵＥの状態に基づいてアクセス禁止タイマーの持続時間を決定すると説明されてもよい。
【００６４】
実施例２
ＵＥは、ネットワーク側からの指示に基づいて接続状態でのアクセス制御を実行する必要があるか否かを決定してもよい。
【００６５】
ＵＥが受信した指示情報中に接続状態でのアクセス制御の実行を指示するように情報が搬送されている場合、ＵＥは接続状態のためのアクセス制御パラメータ（例えば、アクセス制御エレメント、アクセス禁止タイマーの値など）に基づいてアクセス制御を実行する。ただし、指示情報はシステム情報または専用シグナリングに含まれてもよい。アクセス制御については、例えば、乱数を決定し、乱数とアクセス制御にエレメントの大きさを比較し、乱数がアクセス制御エレメントよりも小さいときに、アクセス制御の結果が許可であると決定し、そうでなければ、アクセス結果が禁止であると決定し、アクセス禁止タイマーの値に基づいて、アクセス禁止タイマーの持続時間を決定してアクセス禁止タイマーを開始することなどを含んでもよい。
【００６６】
好ましくは、ＵＥが受信したシステム情報または専用シグナリング中に接続状態でのアクセス制御の実行を指示するように情報が搬送されている場合、このような指示は、明示的な指示または暗黙的な指示であってもよい。
【００６７】
明示的な指示は、１ビットの指示ビットで接続状態でのアクセス制御を実行する必要があるか否かを指示し、例えば、０またはＴＲＵＥにすると、実行する必要があることを示し、１／ＦＡＬＳＥにすると、実行する必要がないことを示してもよい。
【００６８】
暗黙的な指示は、ＵＥが受信したシステム情報または専用シグナリング中に、接続状態に用いられるアクセス制御に関するパラメータ、例えば、接続状態でアクセス制御を実行する必要があるアクセスカテゴリ（ａｃｃｅｓｓ ｃａｔｅｇｏｒｙ）、またはアクセス制御中のアクセス禁止タイマーの値などが搬送されてもよく、そしてＵＥは、このような情報を受信したときに、接続状態でのアクセス制御を実行する必要があると決定してもよい。
【００６９】
また、選択的には、ＵＥが受信したシステム情報または専用シグナリングに接続状態に用いられるアクセス制御（ａｃｃｅｓｓ ｃｏｎｔｒｏｌ）に関するパラメータが搬送されず、あるいは、設定された指示情報が接続状態でのアクセス制御（例えば、指示位置が１）を行う必要がないと指示した場合、ＵＥは接続状態でアクセス制御を実行した結果が許可であると見なしてもよい。
【００７０】
実施例３
ＵＥは、接続状態でアクセス制御を実行し、制御の結果に従って対応するアクセス禁止タイマーを開始してもよく、下記の１つまたは複数の場合、ＵＥは稼働中のアクセス禁止タイマーを停止してもよい。
【００７１】
ＵＥが、無線リンク失敗が発生したことを決定（ｄｅｃｌａｒｅ）したときに、稼働中の１つまたは複数のアクセス禁止タイマーがあれば、その１つまたは複数のアクセス禁止タイマーを停止し、
ＵＥが、ＲＲＣ再接続を初期化するとき、言い換えれば、ＵＥが、ＲＲＣ再接続に対して初期化するときに、稼働中の１つまたは複数のアクセス禁止タイマーがあれば、その１つまたは複数のアクセス禁止タイマーを停止し、
ＵＥが、ＲＲＣ接続再設定メッセージを受信し、且つそのメッセージに、少なくとも、例えば、ＵＥを新しいターゲットセルに同期するように指示するためのターゲットプライマリーセル情報が含まれるときに、稼働中の１つまたは複数のアクセス禁止タイマーがあれば、その１つまたは複数のアクセス禁止タイマーを停止し、
ＵＥが、ＲＲＣ接続解放（ＣｏｎｎｅｃｔｉｏｎＲｅｌｅａｓｅ）メッセージを受信したときに、稼働中の１つまたは複数のアクセス禁止タイマーがあれば、その１つまたは複数のアクセス禁止タイマーを停止し、且つ予め設定された持続時間の後に、接続解放の関連操作、例えば、接続状態から離れる操作、または、ＭＡＣ層のリセット、稼働中のタイマーの停止などを実行する。
【００７２】
また、選択的には、ＵＥは、稼働中のアクセス禁止タイマーを停止した後、上位層にこのアクセス禁止タイマーに対応するアクセスカテゴリ（ａｃｃｅｓｓ ｃａｔｅｇｏｒｙ）の禁止解除（ｂａｒｒｉｎｇ ａｌｌｅｖｉａｔｉｏｎ）を指示する。
【００７３】
実施例１〜３において、ＵＥはアクセス制御の結果に基づいてアクセス禁止タイマーを開始し、また、ネットワーク側はシグナリング指示によって、接続状態でのアクセス禁止タイマーを開始または停止してもよい。
【００７４】
実施例４
ＵＥが受信した指示情報中に接続状態でのアクセス禁止タイマーの開始（またはアクティブ化）を指示する指示が搬送されているときに、ＵＥはアクセス禁止タイマーを開始してもよい。そのうち、指示情報はページングメッセージまたはシステム情報または専用シグナリングに含まれてもよい。
【００７５】
ここでのアクセス禁止タイマーは１つまたは複数のアクセスカテゴリ（ａｃｃｅｓｓ ｃａｔｅｇｏｒｙ）に対応する１つまたは複数のアクセス禁止タイマーであってもよく、例えば、Ｔ５（第５のタイマー）はアクセスカテゴリ１に対応し、Ｔ６（第６のタイマー）はアクセスカテゴリ２に対応し、ＵＥは上記指示を受信したときに、Ｔ５およびＴ６を開始してもよい。
【００７６】
上記アクセス禁止タイマーは汎用のアクセス禁止タイマーＴ７（第７のタイマー）であってもよく、ここで、汎用のアクセス禁止タイマーは、このタイマーが接続状態でアクセス制御を実行する必要があるすべてのアクセスカテゴリに適用され、このタイマーが稼働されるときに、ＵＥの接続状態でのアクセス制御の実行結果は常に禁止であり、あるいはＵＥの接続状態でのアクセスは禁止されると理解してもよい。例えば、ＵＥが接続状態でのアクセス制御を実行するときに、Ｔ７が稼働中であれば、ＵＥはアクセス制御の結果が禁止であると見なす。
【００７７】
また、上記アクセス禁止タイマーの開始は周期的であってもよい。例えば、ＵＥは、ＵＥのアイデンティティ、例えば、Ｃ−ＲＮＴＩまたはＩＭＳＩに従って／基づいて、１つの参照時点ｔを算出し、且つＵＥが受信したネットワーク側に設定された周期長さＴに従って、時刻ｔ、ｔ＋Ｔ、ｔ＋２Ｔ、ｔ＋３Ｔ、ｔ＋４Ｔ．．．にてアクセス禁止タイマーを開始してもよい。
【００７８】
上記方法における開始されるアクセス禁止タイマーでは、その持続時間の設定は、アクセス禁止タイマーの平均持続時間に基づいて、例えば、乱数を生成し、この乱数にアクセス禁止タイマーの平均持続時間を乗算して１つの持続時間を取得してもよく、更にはＵＥが受信した指示情報中に搬送されるアクセス禁止タイマーの設定に従って持続時間を決定してもよい。
【００７９】
実施例５
ＵＥが受信した指示情報に接続状態でのアクセス禁止タイマーの停止を指示する指示が搬送されているときに、ＵＥは稼働中のアクセス禁止タイマーを停止してもよい。そのうち、指示情報は、例えば、ページングメッセージまたはシステム情報または専用シグナリングである。
【００８０】
ここで、停止されるアクセス禁止タイマーは実施例４に記載のアクセス禁止タイマーＴ５およびＴ６であってもよく、実施例４に記載のＴ７であってもよく、Ｔ７が一旦停止（ｎｏｔ ｒｕｎｎｉｎｇ）すると、ＵＥは接続状態でアクセス制御を実行するときに、接続状態でのアクセス制御パラメータに基づいて動作する。
【００８１】
実施例６
本実施例と実施例４および５との相違点は、ＵＥが開始／停止指示を受信したときに、アクセス禁止タイマーを開始または停止するタイミングを決定するところにある。
【００８２】
１つの実現方法は、ＵＥが開始／停止指示を受信したときに、アクセス禁止タイマーを即時に開始または停止するというものである。例えば、ＵＥは上記指示を受信すると同時にＴ５およびＴ６またはＴ７を即時に開始／停止する。
【００８３】
もう１つの実現方法は、ＵＥが開始／停止指示を受信したときに、予定の時刻にアクセス禁止タイマーを開始または停止してもよいというものである。
【００８４】
この予定の時刻は次回のシステム情報の更新時刻、または次回のシステム情報の修正周期であってもよく、予め設定された値に基づいて算出された時刻であってもよく、ＵＥは、ＵＥのアイデンティティ、例えば、Ｃ−ＲＮＴＩまたはＩＭＳＩに従って／基づいて、１つの参照時点を算出し、この参照時点に基づいてアクセス禁止タイマーを開始／停止してもよい。この参照時点は、絶対時点、例えば、特定のシステムフレーム番号であってもよく、相対的な時点、例えば、時間オフセット量であってもよく、単位はミリ秒またはタイムスロット（ｓｌｏｔ）であってもよく、サブフレーム（ｓｕｂｆｒａｍｅ）であってもよく、その後ＵＥは、この時間オフセット量に基づいて絶対時間を算出して前記絶対時点でアクセス禁止タイマーを開始／停止する。複数のアクセス禁止タイマーを開始／停止する必要がある場合、例えば、Ｔ５およびＴ６それぞれに１つの開始／停止時間を決定すると、ＵＥは、上記指示を受信した後、一定時間内に、ランダムに選択するか、あるいは特定のルールに従って、例えば、アクセスカテゴリのアイデンティティまたはＵＥのアイデンティティに基づいて、異なるアクセスカテゴリに対応するアクセス禁止タイマーの開始／停止時間を決定してもよい。
【００８５】
アクセス禁止タイマーとアクセスカテゴリの対応関係は固定的であってもよく、例えば、アクセスカテゴリ１は常にタイマーＴ１に対応し、アクセスカテゴリ２は常にタイマーＴ２に対応してもよい。現在定義されているアクセスカテゴリは最大６４個まであることから、それに応じて６４個の固定タイマーが必要である。しかし、実際には、ＵＥのアクセスカテゴリはそれほど多くないため、アクセスタイマーの数を減らす方法を設計してもよい。
【００８６】
上記の問題を解決するために、実施例７における方法を使用してもよい。
【００８７】
実施例７
ＵＥ側で１つのアクセス禁止タイマーグループを設定し、このタイマーグループに少なくとも２つのタイマーを含むことにより、アクセス禁止タイマーグループのうちのタイマーとアクセスカテゴリとの対応関係が動的になる。また、ネットワーク側はタイマーグループのうちのアクセス禁止タイマーの数を予め定義してもよく、あるいは、システム情報／専用シグナリングなどに含まれる指示情報において、ＵＥにアクセス禁止タイマーグループのうちのアクセス禁止タイマーの数を指示してもよい。ＵＥは、この指示情報を受信した後、前記数に従ってアクセス禁止タイマーグループの設定を指示する。
【００８８】
アクセス禁止タイマーグループのうちのタイマーとアクセスカテゴリの対応関係は、１対１であってもよい。例えば、アクセスカテゴリ１とタイマー１とは対応し、アクセスカテゴリ２とタイマー２とは対応する。そのため、上記アクセス禁止タイマーの数の指示に関する更なる実現形態は、ネットワーク側がアクセス制御を実行する必要があるアクセスカテゴリを指示するというものであり、好ましくは、ネットワーク側はアクセス制御を実行する必要があるアクセスカテゴリを指示するときに、アクセスカテゴリをアクセス禁止タイマーが必要なアクセスカテゴリとアクセス禁止タイマーが不要なアクセスカテゴリに分けてもよい。これにより、ネットワーク側がアクセス制御を実行する必要があり、且つアクセス禁止タイマーが必要であると指示したアクセスカテゴリに対応して、ＵＥは、それらのアクセスカテゴリのために対応するアクセス禁止タイマーを設定することにより、アクセス禁止タイマーの数を決定する。具体的な実施形態は、非アクセス層が提供するアクセスカテゴリ１について、ＵＥは、受信したネットワーク側からの指示に従ってアクセス制御を実行する必要があるか否かを決定し、アクセス制御を実行する必要があれば、ＵＥは、アクセス禁止タイマーを設定する必要があるか否かをさらに決定してもよい。決定の方法は、ＵＥは、このアクセスカテゴリのために、対応するランダムエレメントまたはアクセス禁止の平均持続時間などのパラメータが設定されたか否かを判定するものであり、設定されているのであれば、アクセス禁止タイマーの設定が必要であると決定してもよく、設定されていなければ、アクセス禁止タイマーの設定が不要であると決定するというものであってもよい。
【００８９】
アクセス禁止タイマーグループのうちのタイマーとアクセスカテゴリの対応関係は、動的な対応であってもよい。例えば、アクセスカテゴリ１がアクセス制御を実行する必要があり、且つアクセス制御の結果が禁止であるときに、ＵＥは、アクセス禁止タイマーグループから未稼働の１つのタイマーを選択してこのタイマー、例えば、アクセスカテゴリ１に対応するＴ１を開始してもよい。Ｔ１が停止またはタイムアウトすると、ＵＥは上位層にアクセスカテゴリ１の禁止の解除を通知する。
【００９０】
アクセスカテゴリ２がアクセス制御を実行する必要があり、且つアクセス制御の結果が禁止であるときに、Ｔ１が稼働中でなければ、ＵＥは、Ｔ１を選択するとともに、アクセスカテゴリ２のアクセス禁止タイマーとして選択するとともに、このタイマーを開始してもよい。この時、Ｔ１はアクセスカテゴリ２に対応する。
【００９１】
上記アクセス禁止タイマーとアクセスカテゴリの対応関係とは、このアクセス禁止タイマーの稼働期間に、このアクセスカテゴリのアクセスが禁止されるか、あるいは、新しいＰＤＵ対話の確立が禁止されることを意味してもよく、このアクセスカテゴリがアクセス制御で禁止されることで開始されたアクセス禁止タイマーを意味してもよく、あるいは、このアクセス禁止タイマーが停止したときに、このアクセスカテゴリの禁止が解放されることを意味してもよい。
【００９２】
ネットワーク側は、システムメッセージにおいてアクセス制御に関するパラメータまたは情報を報知し、これらのパラメータまたは情報が更新されるときに、ネットワーク側は、例えば、ページングメッセージを用いて、ＵＥがこれらのパラメータまたは情報を搬送するシステム情報が更新されることを通知してもよく、ＵＥはシステム情報の更新指示を受信したときに、次回のシステム情報の修正周期（ｍｏｄｉｆｉｃａｔｉｏｎ ｐｅｒｉｏｄ）内に更新されたシステム情報を受信してもよい。
【００９３】
しかし、ある特定のアクセスカテゴリ（ａｃｃｅｓｓ ｃａｔｅｇｏｒｙ）、例えば、緊急呼び出し、またはＭ２Ｍサービスに関するアクセスカテゴリ（ａｃｃｅｓｓ ｃａｔｅｇｏｒｙ）については、それらに対する、アクセス制御に関するパラメータまたは情報が更新され場合には、ＵＥは即時に知る必要があることから、ネットワーク側は、ページングメッセージにおいて特定のアクセスカテゴリ（ａｃｃｅｓｓ ｃａｔｅｇｏｒｙ）に関するアクセス制御のパラメータが更新されることを示すか、あるいは、特定のアクセスカテゴリ（ａｃｃｅｓｓ ｃａｔｅｇｏｒｙ）に関するアクセス制御のパラメータが搬送されるシステム情報が更新されていることを示す必要がある。そうすると、ＵＥは、この指示を受信したときに、特定のアクセスカテゴリ（ａｃｃｅｓｓ ｃａｔｅｇｏｒｙ）に関するアクセス制御のパラメータが搬送されるシステム情報を直接に取得または受信してもよいことから、それにより、ある特定の時間、例えば、上記の次のシステム情報の修正周期までに待つ必要はない。
【００９４】
ＵＥのアクセス層は、あるアクセスカテゴリ（ａｃｃｅｓｓ ｃａｔｅｇｏｒｙ）に関連するトラフィックはわからないため、上記状況２が発生しても、アクセス層はこのアクセスカテゴリに対応するトラフィックを即時に取得する必要があることがわからないため、更新された情報がいつ取得されたかを区別できない。
【００９５】
上記問題を解決するために、以下の方法を使用してもよい。
【００９６】
実施例８
ネットワーク側は、システム情報において取得方法とアクセスカテゴリの対応関係を報知または予め設定するが、ここでの取得方式とアクセスカテゴリの対応とは、このアクセスカテゴリに関するアクセス制御情報が変化または更新されたときに、更新された情報を取得するために、ＵＥが使用する取得方法を意味する。具体的な実現形態は、以下の通りである。
【００９７】
ネットワーク側は、システム情報において、第１のアクセスカテゴリに関するアクセス制御情報が更新されるときに、第１の取得方法を使用することを報知または予め設定（予め定義）してもよく、更にはシステム情報において、第２のアクセスカテゴリに関するアクセス制御情報が更新されるときに、第２の取得方法を使用することを報知または予め設定（予め定義）してもよい。あるいは、
ネットワーク側は、システム情報において、第１のアクセスカテゴリに関するアクセス制御情報が更新されるときに、第１の取得方法を使用することを報知または予め設定（予め定義）し、他のアクセスカテゴリ、例えば、第２のアクセスカテゴリは、第２のアクセスカテゴリに関するアクセス制御情報が更新されるときに、第２の取得方法を使用することを報知または予め設定（予め定義）する。あるいは、
ネットワーク側は、システム情報において、第１の取得方法を使用するアクセスカテゴリに対応して、第１のアクセスカテゴリと呼ばれることを報知または予め設定（予め定義）し、第１の取得方法を使用しないアクセスカテゴリについて、第２のアクセスカテゴリと呼ばれるものは、第２の取得方法を使用することを報知または予め設定（予め定義）する。あるいは、
ネットワーク側はアクセスカテゴリをグループ化し、第１のグループに属する第１のアクセスカテゴリは、第１の取得方法を使用し、第２のグループにある第２のアクセスカテゴリは、第２の取得方法を使用する。ネットワーク側は、システム情報中にてアクセスカテゴリのグループ化情報を報知する。ネットワーク側は、第１のグループの情報のみを報知してもよく、第１のグループに含まれないアクセスカテゴリについては、暗黙的に第２の取得方法の使用に対応してもよい。
【００９８】
ＵＥは、上記取得方法とアクセスカテゴリの対応関係が搬送されるシステム情報を受信するか、あるいは、予め設定された情報を使用することにより、取得方法とアクセスカテゴリとの対応関係を得る。
【００９９】
第１のアクセスカテゴリに関するアクセス制御情報が更新されるときに、ネットワーク側は、ページングメッセージにおいて第１のアクセスカテゴリに関するアクセス制御情報が更新されるか、あるいは、第１のアクセスカテゴリに関するアクセス制御情報が搬送されるシステム情報が更新されるかをＵＥに通知してもよく、ＵＥは、上記ページングメッセージを受信したときに、ＵＥが第１のアクセスカテゴリをサポートしているのであれば、ＵＥは第１の取得方法を使用して、第１のアクセスカテゴリに関するアクセス制御情報が搬送されるシステム情報を取得する。
【０１００】
第２のアクセスカテゴリに関するアクセス制御情報が更新されるときに、ネットワーク側は、ページングメッセージにおいて第２のアクセスカテゴリに関するアクセス制御情報が更新されるか、あるいは、第２のアクセスカテゴリに関するアクセス制御情報が搬送されるシステム情報が更新されるかをＵＥに通知し、ＵＥは、上記ページングメッセージを受信したときに、ＵＥが第２のアクセスカテゴリをサポートしているのであれば、ＵＥは第２の取得方法を使用して、第２のアクセスカテゴリに関するアクセス制御情報が搬送されるシステム情報を取得する。
【０１０１】
第１の取得方法および第２の取得方法の相違点は、取得時間上の違いであってもよい。例えば、第１の取得方法は、ＵＥがページングメッセージ（または直接メッセージｄｉｒｅｃｔ  ｉｎｆｏｒｍａｔｉｏｎ）に搬送されているシステム情報の更新に関する指示情報を受信した後、システム情報の取得／受信を開始してもよく、第２の取得方法は、ＵＥがページングメッセージに搬送されているシステム情報の更新に関する指示情報を受信した後、次のシステム情報の修正周期の起点から、更新されたシステム情報を取得／受信してもよい。
【０１０２】
また、第１の取得方法および第２の取得方法の相違点は、適用時間上の違いであってもよい。例えば、第１の取得方法は、ＵＥが情報を取得した後、更新された情報に従って再設定またはアクセス制御を実行してもよく、第２の取得方法は、ＵＥが情報を取得した後、次のシステム情報の修正周期の起点から、更新された情報に従って再設定またはアクセス制御を実行してもよい。
【０１０３】
図３は、本発明の実施例によるユーザ機器３０のブロック図を示す。図３に示すように、このユーザ機器３０はプロセッサ３１０とメモリ３２０とを含む。プロセッサ３１０は、例えば、マイクロプロセッサ、マイクロコントローラ、および組み込みプロセッサなどを含んでもよい。メモリ３２０は、例えば、揮発性メモリ（例えば、ランダムアクセスメモリＲＡＭ）、ハードディスクドライブ（ＨＤＤ）、不揮発性メモリ（例えば、フラッシュメモリ）、または他のメモリなどを含んでもよい。メモリ３２０にプログラム指令が記憶される。この指令がプロセッサ３１０により実行されるときに、本発明に詳細に説明されるユーザ機器により実行される上記アクセス制御方法が実行されてもよい。
【０１０４】
本発明による機器にて実行されるプログラムは、中央処理ユニット（ＣＰＵ）を制御することでコンピュータに本発明の実施例の機能を実現させるプログラムであってもよい。このプログラムまたはこのプログラムにより処理される情報は、揮発性メモリ（例えば、ランダムアクセスメモリＲＡＭ）、ハードディスクドライブ（ＨＤＤ）、不揮発性メモリ（例えば、フラッシュメモリ）、または他のメモリシステムに一時的に記憶されてもよい。
【０１０５】
本発明の各実施例の機能を実現するためのプログラムは、コンピュータ読み取り可能な記録媒体に記録してもよい。コンピュータシステムに、記録媒体に記録されたプログラムを読み込ませ、実行させることにより、対応する機能を実現してもよい。ここでいう「コンピュータシステム」は、この機器に組み込まれたコンピュータシステムであってもよく、オペレーティングシステムまたはハードウェア（例えば、周辺機器）を含んでもよい。「コンピュータ読み取り可能な記録媒体」は、半導体記録媒体、光記録媒体、磁気記録媒体、プログラムを短時間で動的に記憶した記録媒体、またはコンピュータ読み取り可能な任意の他の記録媒体であってもよい。
【０１０６】
上記実施例で使用される機器の様々な特徴または機能モジュールは、回路（例えば、シングルチップまたはマルチチップ集積回路）により実現または実行されてもよい。本明細書で説明される機能を実行するように設計された回路には、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイス、個別のゲートまたはトランジスタ論理、個別のハードウェア構成要素、または上記デバイスの任意の組み合わせを含んでもよい。汎用プロセッサはマイクロプロセッサであってもよく、いずれの従来のプロセッサ、コントローラ、マイクロコントローラ、またはステートマシンであってもよい。上記回路は、デジタル回路であってもよく、アナログ回路であってもよい。半導体技術の進歩により従来の集積回路に代替する新しい集積回路技術が出現した場合、本発明の１つまたは複数の実施例は、これら新しい集積回路技術を用いて実現してもよい。
【０１０７】
また、本発明は上記実施例に限定されない。前記実施例のさまざまな例を説明したが、本発明は、これに限定されない。屋内または屋外に取り付けられる据え置き型、または非可動型の電子機器は、例えば、ＡＶ機器、キッチン機器、洗浄機器、空調、オフィス機器、自動販売機、およびその他家電機器などの端末装置もしくは通信装置として用いることができる。
【０１０８】
以上、本発明の実施例について図面を参照して詳述した。しかし、具体的な構造は上記実施例に限定されるものではなく、本発明の要旨を逸脱しないすべての設計変更なども含まれる。また、本発明は、請求項に示した範囲で種々の変更が可能であり、異なる実施例に開示された技術的手段を適宜組み合わせて得られる実施例についても本発明の技術的範囲に含まれる。また、上記実施例に記載された同様の効果を有する構成要素は互いに置換可能である。
【図１】
2021520125.tif 000003
【図２】
2021520125.tif 000004
【図３】
2021520125.tif 000005
【国際調査報告】
2021520125.tif 000006
2021520125.tif 000007
2021520125.tif 000008
2021520125.tif 000009
2021520125.tif 000010
2021520125.tif 000011